(57)【要約】【課題】複数の選択肢の中から任意の選択肢を選択するための選択操作を支援することが可能な情報処理装置及び選択操作支援プログラムを提供する。【解決手段】複数の選択肢を有する選択画面を表示する表示部と、複数の選択肢の中から任意の選択肢を選択するための選択操作を受け付ける選択操作部と、選択操作部を介して入力された選択操作に基づいて、各選択肢の選択状態と非選択状態とを切り替える選択切替制御部とを備える情報処理装置であって、選択切替制御部は、選択操作が第１の選択操作である場合に、操作対象とされた選択肢の選択状態と非選択状態とを個別に切り替える制御を実行し、選択操作が第１の選択操作とは異なる第２の選択操作である場合に、操作対象とされた選択肢以外の選択肢の選択状態と非選択状態とを一括して切り替える制御を実行する。【選択図】図２
2019191774.tif 000002
【特許請求の範囲】
【請求項１】
複数の選択肢を有する選択画面を表示する表示部と、
前記複数の選択肢の中から任意の選択肢を選択するための選択操作を受け付ける選択操作部と、
前記選択操作部を介して入力された選択操作に基づいて、各選択肢の選択状態と非選択状態とを切り替える選択切替制御部と
を備える情報処理装置であって、
前記選択切替制御部は、
前記選択操作が第１の選択操作である場合に、操作対象とされた選択肢の選択状態と非選択状態とを個別に切り替える制御を実行し、
前記選択操作が前記第１の選択操作とは異なる第２の選択操作である場合に、操作対象とされた選択肢以外の選択肢の選択状態と非選択状態とを一括して切り替える制御を実行する
ことを特徴とする情報処理装置。
【請求項２】
前記第２の選択操作は、操作対象とされた選択肢に対するダブルクリックである
ことを特徴とする請求項１に記載の情報処理装置。
【請求項３】
前記選択切替制御部は、全ての選択肢が選択状態とされている状態において、操作対象とされた選択肢に対して前記第２の選択操作が実行されることにより、該操作対象とされた選択肢以外の選択肢を非選択状態に一括して切り替える制御を実行する
ことを特徴とする請求項１又は２に記載の情報処理装置。
【請求項４】
前記選択切替制御部は、全ての選択肢が非選択状態とされている状態において、操作対象とされた選択肢に対して前記第２の選択操作が実行されることにより、該操作対象とされた選択肢以外の選択肢を選択状態に一括して切り替える制御を実行する
ことを特徴とする請求項１〜３いずれか１項に記載の情報処理装置。
【請求項５】
前記選択切替制御部は、前記選択操作が複数の選択肢に対する範囲指定操作である場合に、該範囲指定操作の対象とされた複数の選択肢の選択状態と非選択状態とを一括して切り替える制御を実行する
ことを特徴とする請求項１〜４いずれか１項に記載の情報処理装置。
【請求項６】
前記範囲指定操作は、ドラッグ操作である
ことを特徴とする請求項５に記載の情報処理装置。
【請求項７】
複数の選択肢を有する選択画面を表示する表示部と、前記複数の選択肢の中から任意の選択肢を選択するための選択操作を受け付ける選択操作部とを備える情報処理装置に、前記選択操作部を介して入力された選択操作に基づいて、各選択肢の選択状態と非選択状態とを切り替える選択切替処理を実行させるための選択操作支援プログラムであって、
前記情報処理装置に、
前記選択操作が第１の選択操作である場合に、操作対象とされた選択肢の選択状態と非選択状態とを個別に切り替える処理と、
前記選択操作が前記第１の選択操作とは異なる第２の選択操作である場合に、操作対象とされた選択肢以外の選択肢の選択状態と非選択状態とを一括して切り替える処理と
を実行させる
ことを特徴とする選択操作支援プログラム。
【請求項８】
前記第２の選択操作は、操作対象とされた選択肢に対するダブルクリックである
ことを特徴とする請求項７に記載の選択操作支援プログラム。
【請求項９】
全ての選択肢が選択状態とされている状態において、操作対象とされた選択肢に対して前記第２の選択操作が実行された場合に、該操作対象とされた選択肢以外の選択肢を非選択状態に一括して切り替える処理を前記情報処理装置に実行させる
ことを特徴とする請求項７又は８に記載の選択操作支援プログラム。
【請求項１０】
全ての選択肢が非選択状態とされている状態において、操作対象とされた選択肢に対して前記第２の選択操作が実行された場合に、該操作対象とされた選択肢以外の選択肢を選択状態に一括して切り替える処理を前記情報処理装置に実行させる
ことを特徴とする請求項７〜９いずれか1項に記載の選択操作支援プログラム。
【請求項１１】
前記選択操作が複数の選択肢に対する範囲指定操作である場合に、該範囲指定操作の対象とされた複数の選択肢の選択状態と非選択状態とを一括して切り替える処理を前記情報処理装置に実行させる
ことを特徴とする請求項７〜１０いずれか１項に記載の選択操作支援プログラム。
【請求項１２】
前記範囲指定操作は、ドラッグ操作である
ことを特徴とする請求項１１に記載の選択操作支援プログラム。
【発明の詳細な説明】
【技術分野】
【０００１】
本発明は、複数の選択肢の中から任意の選択肢を選択するための選択操作を支援することが可能な情報処理装置及び選択操作支援プログラムに関するものである。
【背景技術】
【０００２】
従来の情報処理装置において、複数の選択肢の中から任意の選択肢を選択するための選択画面には、選択肢毎に、ユーザからの選択操作により選択・非選択状態を切り替え可能なチェックボックスを設けることが一般的である。また、このような選択操作を支援するために、選択肢毎に設けられたチェックボックスに加え、全てのチェックボックスの選択状態と非選択状態とを一括して切り替えるための全選択ボタン及び選択解除ボタンを設けることが知られている（特許文献１等）。
【先行技術文献】
【特許文献】
【０００３】
【特許文献１】特開２００９−４８５２０号公報
【発明の概要】
【発明が解決しようとする課題】
【０００４】
しかしながら、このような従来の情報処理装置の選択画面において、例えば全ての選択肢が選択状態となっている初期状態から、一つの選択肢のみ選択状態を維持し、残り全ての選択肢を非選択状態にするためには、非選択状態にしたい選択肢のチェックボックスを一つずつクリックして非選択状態に切り替えるか、又は、一度選択解除ボタンを押下して全ての選択肢を非選択状態とした上で、選択状態にしたい選択肢のチェックボックスをクリックして選択状態に切り替える必要がある。このように、従来の情報処理装置の選択画面は、選択・非選択状態を切り替えたい選択肢が多数に亘る場合の操作手順が煩雑であるため、選択操作の簡略化という観点において、改善の余地がある。
【０００５】
そこで、本発明は、複数の選択肢の中から任意の選択肢を選択するための選択操作を支援することが可能な情報処理装置及び選択操作支援プログラムを提供することを目的とする。
【課題を解決するための手段】
【０００６】
上記の目的を達成するため、本発明に係る情報処理装置は、複数の選択肢を有する選択画面を表示する表示部と、前記複数の選択肢の中から任意の選択肢を選択するための選択操作を受け付ける選択操作部と、前記選択操作部を介して入力された選択操作に基づいて、各選択肢の選択状態と非選択状態とを切り替える選択切替制御部とを備える情報処理装置であって、前記選択切替制御部は、前記選択操作が第１の選択操作である場合に、操作対象とされた選択肢の選択状態と非選択状態とを個別に切り替える制御を実行し、前記選択操作が前記第１の選択操作とは異なる第２の選択操作である場合に、操作対象とされた選択肢以外の選択肢の選択状態と非選択状態とを一括して切り替える制御を実行することを特徴とする。
【０００７】
本発明に係る情報処理装置において、前記第２の選択操作は、操作対象とされた選択肢に対するダブルクリックであるとしても良い。
【０００８】
また、本発明に係る情報処理装置において、前記選択切替制御部は、全ての選択肢が選択状態とされている状態において、操作対象とされた選択肢に対して前記第２の選択操作が実行されることにより、該操作対象とされた選択肢以外の選択肢を非選択状態に一括して切り替える制御を実行するとしても良いし、全ての選択肢が非選択状態とされている状態において、操作対象とされた選択肢に対して前記第２の選択操作が実行されることにより、該操作対象とされた選択肢以外の選択肢を選択状態に一括して切り替える制御を実行するとしても良い。
【０００９】
さらに、本発明に係る情報処理装置において、前記選択切替制御部は、前記選択操作が複数の選択肢に対する範囲指定操作である場合に、該範囲指定操作の対象とされた複数の選択肢の選択状態と非選択状態とを一括して切り替える制御を実行することが好ましい。
【００１０】
この場合において、前記範囲指定操作は、ドラッグ操作であるとしても良い。
【００１１】
また、本発明に係る選択操作支援プログラムは、複数の選択肢を有する選択画面を表示する表示部と、前記複数の選択肢の中から任意の選択肢を選択するための選択操作を受け付ける選択操作部とを備える情報処理装置に、前記選択操作部を介して入力された選択操作に基づいて、各選択肢の選択状態と非選択状態とを切り替える選択切替処理を実行させるための選択操作支援プログラムであって、前記情報処理装置に、前記選択操作が第１の選択操作である場合に、操作対象とされた選択肢の選択状態と非選択状態とを個別に切り替える処理と、前記選択操作が前記第１の選択操作とは異なる第２の選択操作である場合に、操作対象とされた選択肢以外の選択肢の選択状態と非選択状態とを一括して切り替える処理とを実行させることを特徴とする。
【００１２】
本発明に係る選択操作支援プログラムにおいて、前記第２の選択操作は、操作対象とされた選択肢に対するダブルクリックであるとしても良い。
【００１３】
本発明に係る選択操作支援プログラムは、全ての選択肢が選択状態とされている状態において、操作対象とされた選択肢に対して前記第２の選択操作が実行された場合に、該操作対象とされた選択肢以外の選択肢を非選択状態に一括して切り替える処理を前記情報処理装置に実行させても良いし、全ての選択肢が非選択状態とされている状態において、操作対象とされた選択肢に対して前記第２の選択操作が実行された場合に、該操作対象とされた選択肢以外の選択肢を選択状態に一括して切り替える処理を前記情報処理装置に実行させも良い。
【００１４】
また、本発明に係る選択操作支援プログラムは、前記選択操作が複数の選択肢に対する範囲指定操作である場合に、該範囲指定操作の対象とされた複数の選択肢の選択状態と非選択状態とを一括して切り替える処理を前記情報処理装置に実行させることが好ましい。
【００１５】
この場合において、前記範囲指定操作は、ドラッグ操作であるとしても良い。
【発明の効果】
【００１６】
本発明によれば、複数の選択肢の中から任意の選択肢を選択するための選択操作を支援することが可能な情報処理装置及び選択操作支援プログラムを提供することができる。
【図面の簡単な説明】
【００１７】
【図１】一実施形態に係る情報処理装置の概略構成を示すブロック図である。
【図２】図２（ａ）は、選択画面の初期状態を示す図であり、図２（ｂ）は、操作対象とする選択肢にカーソルを合わせた状態を示す図であり、図２（ｃ）は、ダブルクリック操作により操作対象とした選択肢以外の全ての選択肢を非選択状態に反転させた状態を示す図である。
【図３】図３（ａ）は、選択画面の初期状態を示す図であり、図３（ｂ）は、範囲指定の始点となる選択肢を押下した状態を示す図であり、図３（ｃ）は、範囲指定の終点となる選択肢までドラッグ操作を実行した状態を示す図である。
【図４】本実施形態に係る選択操作支援方法の流れを示すフローチャートである。
【発明を実施するための形態】
【００１８】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１９】
本実施形態に係る情報処理装置１は、情報処理装置１が本来有している機能、例えば、情報処理装置１が眼底検査装置である場合には眼底検査機能及び眼底検査結果の表示機能に加え、これら本来の機能を発揮する過程において表示される選択画面における選択操作を支援する機能（選択操作支援機能）を有している。本実施形態に係る情報処理装置１において、本来有している機能を発揮するための構成については、種々の公知の構成を任意に採用することが可能であるため説明を省略し、以下では、選択操作支援機能に関連する構成についてのみ説明する。なお、情報処理装置１は、上述した眼底検査装置に限定されず、種々の任意の装置であっても良い。また、情報処理装置１としては、例えば、ディスプレイ、キーボード及びマウスを有するパーソナルコンピュータや、タッチパネルを有するタブレット端末等を用いることができる。
【００２０】
本実施形態に係る情報処理装置１は、図１に示すように、ユーザからの種々の操作を受け付ける選択操作部２と、種々の画面を表示する表示部４と、種々の処理を実行するＣＰＵ（制御部）６と、種々の情報を格納する記憶部９とを備えている。
【００２１】
表示部４は、情報処理装置１が本来有している機能（例えば、眼底検査結果の表示機能）を発揮するための画面の一つとして、図２に示すような、複数の選択肢１２ａ〜１２ｏを有する選択画面１０を表示可能に構成されている。複数の選択肢１２ａ〜１２ｏは、それぞれ、各選択肢の名称と共にチェックボックス１４が設けられており、名称部分及びチェックボックス１４が選択操作領域となるよう構成されている。すなわち、複数の選択肢１２ａ〜１２ｏは、それぞれ、名称部分及びチェックボックス１４のいずれかが選択操作部２により選択されることにより、チェックボックス１４の選択状態と非選択状態とが切り替わる（反転する）よう構成されている。なお、上述したパーソナルコンピュータの場合には、ディスプレイが表示部４に相当し、上述したタブレット端末の場合には、タッチパネルの表示機能部分が表示部４に相当するが、これらに限定されるものではない。
【００２２】
選択操作部２は、ユーザの入力操作を受け付けるための手段であり、特に、選択画面１０に表示された複数の選択肢１２ａ〜１２ｏの中から任意の選択肢を選択することが可能に構成されている。このような選択操作としては、操作対象とされた選択肢の選択状態と非選択状態とを個別に切り替えるための第１の選択操作と、操作対象とされた選択肢以外の選択肢の選択状態と非選択状態とを一括して切り替えるための第２の選択操作と、指定された範囲内の複数の選択肢の選択状態と非選択状態とを一括して切り替えるための範囲指定操作等が挙げられる。これら第１の選択操作、第２の選択操作及び範囲指定操作については、後述する。なお、上述したパーソナルコンピュータの場合には、マウスが選択操作部２に相当し、上述したタブレット端末の場合には、タッチパネルの操作受付機能部分が選択操作部２に相当するが、これらに限定されるものではない。
【００２３】
記憶部９は、例えば、ＥＥＰＲＯＭやハードディスク等の種々の記録媒体を用いて構成されており、情報処理装置１を制御する基本的なプログラムであるＯＳ（Ｏｐｅｒａｔｉｎｇ  Ｓｙｓｔｅｍ）及び情報処理装置１が本来有する機能を発揮するための制御プログラム等の種々のプログラムや、情報処理装置１が機能する上で必要なデータ等が記録されている。また、記憶部９には、複数の選択肢１２ａ〜１２ｏの中から任意の選択肢を選択するための選択操作を支援するための選択操作支援プログラムが記録されている。
【００２４】
ＣＰＵ６は、記憶部９に記録されたプログラムを実行して各種の情報処理や情報処理装置１の制御を実行するよう構成されている。特に、ＣＰＵ６は、記憶部９に記録された選択操作支援プログラムを実行することで、選択操作部２を介して入力された選択操作に基づいて、各選択肢の選択状態と非選択状態とを切り替える制御を実行する選択切替制御部８を備えている。
【００２５】
具体的には、選択切替制御部８は、選択操作部２を介して入力された選択操作が第１の選択操作である場合に、操作対象とされた選択肢の選択状態と非選択状態とを個別に切り替える制御を実行するよう構成されている。ここで、第１の選択操作としては、選択・非選択を切り替えたい選択肢に対するシングルクリックが例示される。一般的に、チェックボックス１４の反転はシングルクリックで実行されるため、このように第１の選択操作をシングルクリックとすることで、特に意識することなく直感的かつスムーズに操作することが可能となる。なお、本明細書において、「シングルクリック」とは、マウスによる操作の場合にはマウスのボタンを押して離す操作（クリック）を１回実行すること意味し、タッチパネルによる操作の場合にはタッチパネルをタッチして離す操作（タップ）を１回実行することを意味する。
【００２６】
また、選択切替制御部８は、選択操作部２を介して入力された選択操作が上述した第１の選択操作とは異なる第２の選択操作である場合に、操作対象とされた選択肢以外の選択肢の選択状態と非選択状態とを一括して切り替える制御を実行するよう構成されている。
【００２７】
すなわち、選択切替制御部８は、例えば図２（ａ）に示すように、全ての選択肢１２ａ〜１２ｏが選択状態とされている状態において、図２（ｂ）に示すように、操作対象とされた選択肢１２ｃに対して第２の選択操作が実行されることにより、図２（ｃ）に示すように、該操作対象とされた選択肢１２ｃ以外の選択肢１２ａ，１２ｂ，１２ｄ〜１２ｏを非選択状態に一括して切り替える制御を実行するよう構成されている。
【００２８】
また、選択切替制御部８は、これとは逆に、全ての選択肢１２ａ〜１２ｏが非選択状態とされている状態において、操作対象とされた選択肢（例えば選択肢１２ｃ）に対して第２の選択操作が実行されることにより、該操作対象とされた選択肢（例えば選択肢１２ｃ）以外の選択肢（例えば選択肢１２ａ，１２ｂ，１２ｄ〜１２ｏ）を選択状態に一括して切り替える制御を実行するよう構成されている。
【００２９】
ここで、第２の選択操作としては、選択・非選択を切り替えたくない選択肢（図２の例では選択肢１２ｃ）に対するダブルクリックが例示される。シングルクリックと同様、ダブルクリックは、項目を選択する際に行われる一般的な操作であるため、このような馴染みある操作を第２の選択操作として採用することで、より一層、選択操作をスムーズにすることが可能となる。なお、本明細書において、「ダブルクリック」とは、マウスによる操作の場合にはマウスのボタンを押して離す操作（クリック）を２回すばやく実行すること意味し、タッチパネルによる操作の場合にはタッチパネルをタッチして離す操作（タップ）を２回すばやく実行することを意味する。
【００３０】
さらに、選択切替制御部８は、選択操作部２を介して入力された選択操作が複数の選択肢に対する範囲指定操作である場合に、該範囲指定操作の対象とされた複数の選択肢の選択状態と非選択状態とを一括して切り替える制御を実行するよう構成されている。
【００３１】
すなわち、選択切替制御部８は、例えば図３（ａ）に示すように、全ての選択肢１２ａ〜１２ｏが非選択状態とされている状態において、図３（ｂ）及び図３（ｃ）に示すように、選択状態に切り替えたい選択肢１２ｄ〜１２ｊの範囲を指定する操作が実行されることにより、この指定された範囲内の選択肢１２ｄ〜１２ｊを選択状態に一括して切り替える制御を実行するよう構成されている。
【００３２】
また、選択切替制御部８は、これとは逆に、全ての選択肢１２ａ〜１２ｏが選択状態とされている状態において、非選択状態に切り替えたい選択肢（例えば選択肢１２ｄ〜１２ｊ）の範囲を指定する操作が実行されることにより、この指定された範囲内の選択肢（例えば選択肢１２ｄ〜１２ｊ）を非選択状態に一括して切り替える制御を実行するよう構成されている。
【００３３】
ここで、範囲指定操作としては、選択・非選択を切り替えたい複数の選択肢（図３の例では選択肢１２ｄ〜１２ｊ）に対するドラッグ操作が例示される。一般的に、連続して配置された複数の項目を連続して指定する操作はドラッグ操作で実行されるため、このように範囲指定操作をドラッグ操作とすることで、特に意識することなく直感的かつスムーズに操作することが可能となる。なお、本明細書において、「ドラッグ操作」とは、マウスによる操作の場合にはマウスのボタンを押したままマウスのカーソルを移動させる操作を意味し、タッチパネルによる操作の場合にはタッチパネルをタッチしたままスライドさせる操作を意味する。すなわち、図３（ｃ）に示す例においては、範囲指定の始点となる選択肢１２ｄを押下した状態で、そのまま範囲指定の終点となる選択肢１２ｊまでスライドさせ、終点となる選択肢１２ｊにおいて押下を解除する操作を指している。
【００３４】
以上述べた選択切替制御部８の制御は、記憶部９に記録された選択操作支援プログラムによって実行される。すなわち、本実施形態に係る選択操作支援プログラムは、選択操作部２を介して入力された選択操作が第１の選択操作（例えば、シングルクリック）である場合には、操作対象とされた選択肢の選択状態と非選択状態とを個別に切り替える処理を情報処理装置１に実行させるよう構成されている。また、選択操作支援プログラムは、選択操作部２を介して入力された選択操作第２の選択操作（例えば、ダブルクリック）である場合には、操作対象とされた選択肢以外の選択肢の選択状態と非選択状態とを一括して切り替える処理を情報処理装置１に実行させるよう構成されている。さらに、選択操作支援プログラムは、選択操作部２を介して入力された選択操作が複数の選択肢に対する範囲指定操作である場合には、該範囲指定操作の対象とされた複数の選択肢の選択状態と非選択状態とを一括して切り替える処理を情報処理装置１に実行させるよう構成されている。
【００３５】
次に、本実施形態に係る情報処理装置１を用いた選択操作支援方法について、図２〜図４を用いて説明する。なお、以下で説明する情報処理装置１の各処理は、ＣＰＵ６が記憶部９に記録された各種プログラムに従って実行するものである。
【００３６】
まず、ユーザの操作により、図２（ａ）に示すように、情報処理装置１の表示部４に、複数の選択肢１２ａ〜１２ｏを有する選択画面１０が表示される（図４のＳ１）。初期状態の選択画面１０においては、全ての選択肢１２ａ〜１２ｏが選択状態又は非選択状態となっている。なお、図２（ａ）では、全ての選択肢１２ａ〜１２ｏが選択状態となっている例を図示している。
【００３７】
このような全選択状態において、選択状態を維持したい選択肢よりも、非選択状態に切り替えたい選択肢の方が多い場合には、ユーザは、例えば図２（ｂ）に示すように、選択状態を維持したい選択肢のうちの一つ（選択肢１２ｃ）に対して、選択操作部２を介して第２の選択操作（例えば、ダブルクリック）を実行する。情報処理装置１は、選択操作部２を介して第２の選択操作が入力されたことを検知すると（図４のＳ２において「Ｙｅｓ」の場合）、例えば図２（ｃ）に示すように、操作対象とされた選択肢１２ｃ以外の選択肢１２ａ，１２ｂ，１２ｄ〜１２ｏを非選択状態に一括して切り替える（図４のＳ３）。なお、初期状態が非選択状態の場合においては、当該処理における「選択状態を維持したい選択肢」を「非選択状態を維持したい選択肢」と読み替え、「非選択状態に切り替えたい選択肢」を「選択状態に切り替えたい選択肢」と読み替え、「非選択状態に一括して切り替える」を「選択状態に一括して切り替える」と読み替えた処理を実行する。
【００３８】
そして、第２の選択操作（図４のＳ３）の後、選択状態に切り替えたい選択肢が存在する場合や、第２の選択操作を経ずに、選択状態の選択肢を個別に非選択状態に切り替えたい場合（図４のＳ２において「Ｎｏ」の場合）には、ユーザは、個別に選択・非選択を切り替えたい選択肢に対して、順番に、第１の選択操作（例えば、シングルクリック）を実行する。情報処理装置１は、選択操作部２を介して第１の選択操作が入力されたことを検知すると（図４のＳ４において「Ｙｅｓ」の場合）、操作対象とされた選択肢の選択・非選択を個別に切り替える（図４のＳ５）。第１の選択操作が複数の選択肢に対して実行された場合には、当該個別の切り替え処理を順次繰り返し実行する。なお、初期状態が非選択状態の場合においては、当該処理における「選択状態に切り替えたい選択肢」を「非選択状態に切り替えたい選択肢」と読み替え、「選択状態の選択肢を個別に非選択状態に切り替えたい」を「非選択状態の選択肢を個別に選択状態に切り替えたい」と読み替えた処理を実行する。
【００３９】
また、初期状態、第２の選択操作の実行後又は第１の選択操作の実行後に、連続して配置された複数の選択肢の選択・非選択状態をまとめて切り替えたい場合には、ユーザは、例えば図３（ｂ）及び図３（ｃ）に示すように、選択・非選択状態を切り替えたい選択肢１２ｄ〜１２ｊの範囲を指定する操作（例えば、ドラッグ操作）を実行する。情報処理装置１は、選択操作部２を介して範囲指定操作が入力されたことを検知すると（図４のＳ６において「Ｙｅｓ」の場合）、指定された範囲内の選択肢１２ｄ〜１２ｊの選択・非選択状態を一括して切り替える（図４のＳ７）。
【００４０】
本実施形態に係る選択操作支援方法によれば、以上のような第２の選択操作（例えば、ダブルクリック）、第１の選択操作（例えば、シングルクリック）及び範囲指定操作（例えば、ドラッグ操作）に基づく選択・非選択の切り替えにより、最小限の操作で、所望の選択・非選択状態を得ることができる。
【００４１】
以上説明したとおり、本実施形態に係る情報処理装置１は、複数の選択肢１２ａ〜１２ｏを有する選択画面１０を表示する表示部４と、複数の選択肢１２ａ〜１２ｏの中から任意の選択肢を選択するための選択操作を受け付ける選択操作部２と、選択操作部２を介して入力された選択操作に基づいて、各選択肢の選択状態と非選択状態とを切り替える選択切替制御部８とを備え、選択切替制御部８が、選択操作が第１の選択操作である場合に、操作対象とされた選択肢の選択状態と非選択状態とを個別に切り替える制御を実行し、選択操作が第１の選択操作とは異なる第２の選択操作である場合に、操作対象とされた選択肢以外の選択肢の選択状態と非選択状態とを一括して切り替える制御を実行するよう構成されている。
【００４２】
このように構成された情報処理装置１によれば、より少ない操作で、所望の選択・非選択状態を得ることができるため、複数の選択肢１２ａ〜１２ｏの中から任意の選択肢を選択するための選択操作をより一層支援することが可能となる。すなわち、既述のとおり、従来の情報処理装置では、全選択ボタンや選択解除ボタンにより選択操作の支援が図られているものの、例えば全ての選択肢が選択状態となっている初期状態から、一つの選択肢のみ選択状態を維持し、残り全ての選択肢を非選択状態にするためには、選択解除ボタンを押下して全ての選択肢を非選択状態とする操作と、選択状態にしたい選択肢のチェックボックスをクリックして選択状態に切り替える操作とを実行する必要がある。このため、従来の情報処理装置では、クリック操作の回数が多く、また、選択解除ボタンとチェックボックスとの間においてマウスを正確に移動させる細かな操作が必要である上、マウスの移動距離が長いため、操作が煩雑で時間が掛かる。これに対し、本実施形態に係る情報処理装置１によれば、選択・非選択状態を維持したい選択肢に対して第２の選択操作（例えば、ダブルクリック）を行うのみで同様の状態を得ることが可能となるため、操作性が飛躍的に向上するという利点がある。
【００４３】
以上、本発明の好適な実施形態について説明したが、本発明の技術的範囲は、上述した実施形態に記載の範囲には限定されない。上記各実施形態には、多様な変更又は改良を加えることが可能である。
【００４４】
例えば、上述した実施形態では、操作対象とされた選択肢の選択・非選択状態を個別に切り替えるための第１の選択操作がシングルクリックであり、操作対象とされた選択肢以外の選択肢の選択・非選択状態を一括して切り替えるための第２の選択操作がダブルクリックであり、指定された範囲内の複数の選択肢の選択・非選択状態を一括して切り替えるための範囲指定操作がドラッグ操作であるものとして説明したが、これに限定されず、互いに異なる操作であれば、それぞれ任意の操作を採用することが可能である。
【００４５】
また、図２及び図３に図示した選択画面１０に限定されるものではなく、複数の選択肢を有する選択画面であれば、種々の選択画面とすることが可能である。例えば、複数の選択肢１２ａ〜１２ｏに加え、全ての選択肢１２ａ〜１２ｏの選択状態と非選択状態とを一括して切り替えるためのボタン等が設けられても良い。
【００４６】
上記のような変形例が本発明の範囲に含まれることは、特許請求の範囲の記載から明らかである。
【符号の説明】
【００４７】
１  情報処理装置、２  選択操作部、４  表示部、６  ＣＰＵ、８  選択切替制御部、９  記憶部、１０選択画面、１２ａ〜１２ｏ  選択肢、１４  チェックボックス
【図１】
2019191774.tif 000003
【図２】
2019191774.tif 000004
【図３】
2019191774.tif 000005
【図４】
2019191774.tif 000006